(57)【要約】【課題】  マグネット二つにバックヨークが二つ必要であり、コイルを保持するコイルホルダが必要であり、長さ方向の縮小に限界があった。【解決手段】  四辺３２ａ〜３２ｄを有する矩形枠状のレンズホルダ３２には、相対向する周壁面にコイル３３ａ〜３３ｃとコイル３３ｄ〜３３ｆが並べて配設され、この枠内にてバックヨーク４２ａを挟んでマグネット４１ａ〜４１ｃとマグネット４１ｄ〜４１ｆとがそれぞれ一列に並べて固定されるので、枠内には、コイル３３ａ〜３３ｃの一列と、マグネット４１ａ〜４１ｃの一列と、バックヨーク４２ａと、マグネット４１ｄ〜４１ｆの一列と、コイル３３ｄ〜３３ｆの一列とで、五層になるとともに、必要な隙間は、コイル３３ａ〜３３ｃとマグネット４１ａ〜４１ｃの間の隙間と、マグネット４１ｄ〜４１ｆとコイル３３ｄ〜３３ｆの間の隙間との、二つだけで済むようになった。【選択図】  図３
2011129236.tif 000002
【特許請求の範囲】
【請求項１】
コイルとレンズを保持する可動側部材を、変位可能となるようにワイヤを介して、マグネットを保持する固定側部材にて弾性支持して構成される光ピックアップであって、
上記可動側部材は、
上記レンズと、
略矩形枠状に形成されて同レンズを支持するレンズホルダと、
同レンズホルダにおける枠内に保持されるコイルとを有し、
上記固定側部材は、
上記枠内にて上記コイルに対する固定側磁界を供給するマグネットと、
このマグネットを上記コイルに対面するように支持するバックヨークとなるベースと、
上記コイルに駆動電流を供給する回路基板と、
同回路基板と上記ベースを支持するダンパボックスとを有し、
上記ワイヤは、
上記可動側部材と上記固定側部材とを弾性を有する金属部材にて変位可能に連結しつつ、上記回路基板と上記コイルとを電気的に接続しており、
上記ベースにて、上記レンズホルダの枠内に入るように板状のバックヨークを形成しつつ、その両面に上記マグネットを配置し、
上記コイルは、上記枠内にて同マグネットに対面するように、相対向する枠内周壁面にて支持されるように配置したことを特徴とする光ピックアップ。
【請求項２】
上記マグネットと上記コイルは、上記固定側部材と上記可動側部材との対面面と略平行に対面することを特徴とする請求項１に記載の光ピックアップ。
【請求項３】
上記マグネットは、上記バックヨークの各面に、一列に３個並べて計６個を配置され、上記コイルは、各マグネットに対面する位置に３個ずつ計６個並べて配置されていることを特徴とする請求項１または請求項２に記載の光ピックアップ。
【請求項４】
光ディスクドライブと、
チューナと、
操作入力を受け付ける入力回路部と、
デジタルデータの伸長と圧縮を行ない、上記光ディスクドライブに対するデジタルデータの書き込み及び読み出しを行う伸長圧縮処理部と、
同伸長圧縮処理部への入力アナログ信号のデジタル化を行うＡ／Ｄ変換部と、
上記伸長圧縮処理部からの出力デジタル信号のアナログ化を行うＤ／Ａ変換部と、
上記チューナによる受信と、上記入力回路部での操作入力の受け付けと、上記伸長圧縮処理部でのデジタルデータの書き込み及び読み出しを制御する制御部とを具備する光ディスクドライブ装置であって、
上記光ディスクドライブは、レンズを保持する可動側部材を変位可能となるようにワイヤを介して固定側部材にて弾性支持して構成される光ピックアップを具備し、
上記可動側部材は、
上記レンズと、
略矩形枠状に形成されて同レンズを支持するレンズホルダと、
同レンズホルダにおける枠内に保持されるコイルとを有し、
上記固定側部材は、
上記コイルに対する固定側磁界を供給するマグネットと、
このマグネットを上記コイルに対面するように支持するバックヨークとなるベースと、
上記コイルに駆動電流を供給する回路基板と、
同回路基板と上記ベースを支持するダンパボックスとを有し、
上記ワイヤは、
上記可動側部材と上記固定側部材とを弾性を有する金属部材にて変位可能に連結しつつ、上記回路基板と上記コイルとを電気的に接続しており、
上記ベースにて、上記レンズホルダの枠内に入るように板状のバックヨークを形成しつつ、その両面に上記マグネットを配置し、
上記コイルは、上記枠内にて同マグネットに対面するように、相対向する枠内周壁面にて支持されるように配置され、かつ、
上記マグネットと上記コイルは、上記固定側部材と上記可動側部材との対面面と略平行に対面しつつ、上記マグネットは、上記バックヨークの各面に、一列に３個並べて計６個を配置され、上記コイルは、各マグネットに対面する位置に３個ずつ計６個並べて配置されていることを特徴とする光ディスクドライブ装置。
【発明の詳細な説明】
【技術分野】
【０００１】
本発明は、光ピックアップおよび同光ピックアップを有する光ディスクドライブ装置に関し、特に、光源から記録担体にまたは記録担体から光検出器に光ビームを案内する光ピックアップと光ディスクドライブ装置に関する。
【背景技術】
【０００２】
光ディスクドライブに使用されている光ピックアップは、レンズを保持する可動側部材を変位可能となるようにワイヤを介して固定側部材にて弾性支持して構成されている。このような光ピックアップとして以下の技術が知られている。
特許文献１には、特に請求項３や段落００２０〜００２５に、チルトコイルのチルトマグネットと対向する面にバックヨーク２８を配置する技術が開示されている。
特許文献２には、特に段落００２２〜００２５に、トラッキング駆動機構８とチルト機構１２との間にバックヨーク６ｃを配置する技術が開示されている。
【先行技術文献】
【特許文献】
【０００３】
【特許文献１】特開２００５−３０２１６１号公報
【特許文献２】特開２００５−２３５３５５号公報
【発明の概要】
【発明が解決しようとする課題】
【０００４】
ポータブルタイプの光ピックアップでは、据え置きタイプより小型化が望まれる。しかし、上述した従来のものでは、バックヨークとマグネットとが一対となり、マグネット二つにバックヨークが二つ必要であることと、コイルを保持するコイルホルダがレンズホルダとは独立して必要であった。このため、固定側部材と可動部側部材とをあわせた長さ方向の縮小に限界があった。
本発明は、固定側部材と可動部側部材とを小型化する。
【課題を解決するための手段】
【０００５】
本発明は、コイルとレンズを保持する可動側部材を、変位可能となるようにワイヤを介して、マグネットを保持する固定側部材にて弾性支持して構成される光ピックアップであって、上記可動側部材は、上記レンズと、略矩形枠状に形成されて同レンズを支持するレンズホルダと、同レンズホルダにおける枠内に保持されるコイルとを有し、上記固定側部材は、上記コイルに対する固定側磁界を供給するマグネットと、このマグネットを上記コイルに対面するように支持するバックヨークとなるベースと、上記コイルに駆動電流を供給する回路基板と、同回路基板と上記ベースを支持するダンパボックスとを有し、上記ワイヤは、上記可動側部材と上記固定側部材とを弾性を有する金属部材にて変位可能に連結しつつ、上記回路基板と上記コイルとを電気的に接続しており、上記ベースにて、上記レンズホルダの枠内に入るように板状のバックヨークを形成しつつ、その両面に上記マグネットを配置し、上記コイルは、上記枠内にて同マグネットに対面するように、相対向する枠内周壁面にて支持されるように配置した構成としてある。
【０００６】
上記構成において、コイルとレンズを保持する可動側部材は、マグネットを保持する固定側部材により、変位可能となるようにワイヤを介して、弾性支持されているので、マグネットの固定側磁界とコイルにて適宜形成される磁界の反発力や吸引力などにより、可動側部材を適切位置へ駆動可能である。より、具体的には、レンズを保持する上記可動側部材は、略矩形枠状に形成されつつ、枠内にコイルを保持したレンズホルダを有しており、上記固定側部材は、バックベースを介して上記枠内にて上記コイルを支持しており、同マグネットが同コイルに対する固定側磁界を供給し、回路基板から上記コイルに駆動電流を供給して駆動する。なお、同回路基板と上記ベースはダンパボックスが支持し、また、上記ワイヤは、上記可動側部材と上記固定側部材とを弾性を有する金属部材にて変位可能に連結しつつ、上記回路基板と上記コイルとを電気的に接続する。
【０００７】
ここで、上記バックヨークは、ベースにて上記レンズホルダの枠内に入るように板状に形成され、その両面に上記マグネットを配置している。従って、上記枠内に入るバックヨークは一枚となる。また、上記コイルは、上記枠内にて同マグネットに対面するように、相対向する枠内周壁面にて直に支持されるので、コイルを支持するコイルホルダは不要となる。すなわち、バックヨークの一枚分と、コイルホルダの分だけ枠内の長さを狭めることが可能となる。
【０００８】
また、上記マグネットと上記コイルは、上記固定側部材と上記可動側部材との対面面と略平行に対面するように構成してもよい。
このように構成した場合、バックヨークの一枚分と、コイルホルダの分で縮小した長さは、上記固定側部材と上記可動側部材ととあわせた長さの方向で縮小できる。
さらに、上記マグネットは、上記バックヨークの各面に、一列に３個並べて計６個を配置され、上記コイルは、各マグネットに対面する位置に３個ずつ計６個並べて配置されるように構成してもよい。
このように、省スペースながらも６つのコイルとマグネットが対面して十分な駆動力が発生できる。また、マグネットはバックヨークを挟んで一対ずつ並べられるので、固定側磁界の発生にロスが少なく、強力な磁界を形成できる。
【０００９】
また、上記を統合しつつ、一つの単体の製品とした具体例として、光ディスクドライブと、チューナと、操作入力を受け付ける入力回路部と、デジタルデータの伸長と圧縮を行ない、上記光ディスクドライブに対するデジタルデータの書き込み及び読み出しを行う伸長圧縮処理部と、同伸長圧縮処理部への入力アナログ信号のデジタル化を行うＡ／Ｄ変換部と、上記伸長圧縮処理部からの出力デジタル信号のアナログ化を行うＤ／Ａ変換部と、上記チューナによる受信と、上記入力回路部での操作入力の受け付けと、上記伸長圧縮処理部でのデジタルデータの書き込み及び読み出しを制御する制御部とを具備する光ディスクドライブ装置であって、上記光ディスクドライブは、レンズを保持する可動側部材を変位可能となるようにワイヤを介して固定側部材にて弾性支持して構成される光ピックアップを具備し、上記可動側部材は、上記レンズと、略矩形枠状に形成されて同レンズを支持するレンズホルダと、同レンズホルダにおける枠内に保持されるコイルとを有し、上記固定側部材は、上記コイルに対する固定側磁界を供給するマグネットと、このマグネットを上記コイルに対面するように支持するバックヨークとなるベースと、上記コイルに駆動電流を供給する回路基板と、同回路基板と上記ベースを支持するダンパボックスとを有し、上記ワイヤは、上記可動側部材と上記固定側部材とを弾性を有する金属部材にて変位可能に連結しつつ、上記回路基板と上記コイルとを電気的に接続しており、上記ベースにて、上記レンズホルダの枠内に入るように板状のバックヨークを形成しつつ、その両面に上記マグネットを配置し、上記コイルは、上記枠内にて同マグネットに対面するように、相対向する枠内周壁面にて支持されるように配置され、かつ、上記マグネットと上記コイルは、上記固定側部材と上記可動側部材との対面面と略平行に対面しつつ、上記マグネットは、上記バックヨークの各面に、一列に３個並べて計６個を配置され、上記コイルは、各マグネットに対面する位置に３個ずつ計６個並べて配置されるように構成してもよい。
【発明の効果】
【００１０】
本発明によれば、従来のアクチュエータの形状と比較して、コイルホルダ１個と、バックヨーク１個と、部品同士の隙間を抹消できるので、光ピックアップの形状を小型化できる。特に、その配向方向によって可動側部材と固定側部材とを合わせたタンジェンシャル方向の形状を縮小することができる。
【図面の簡単な説明】
【００１１】
【図１】光ピックアップを有する光ディスクドライブ装置のブロック図である。
【図２】光ピックアップの概略構成を示す斜視図である。
【図３】光ピックアップの平面図である。
【図４】ベースとバックヨークとマグネットの斜視図である。
【図５】ベース単体の斜視図である。
【図６】従来の光ピックアップの平面図である。
【発明を実施するための形態】
【００１２】
以下、図面にもとづいて本発明の実施形態を説明する。
ポータブルタイプの光ピックアップでは主軸、副軸間の距離が据え置きタイプより短くなっているため（４７．５→４５ｍｍ）、タンジェンシャル方向のアクチュエータの形状を縮小する必要がある。まず、光ピックアップが適用される光ディスクドライブ装置の構成について説明する。
【００１３】
図１は、本発明に係る光ピックアップを有する光ディスクドライブ装置をブロック図により示している。
同図において、チューナ部１１は、ＣＰＵを有する制御部１２から指示されたチャンネルの商用放送を受信するとともに、受信して得られた入力アナログ信号であるアナログ映像信号（アナログ音声信号を含む）をＡ／Ｄ変換部１３に出力する。Ａ／Ｄ変換部１３は、チューナ部１１から出力されるアナログ映像信号をデジタル映像信号（デジタル音声信号を含む）にデジタル化の変換をし、伸長圧縮処理部１４に出力する。
【００１４】
Ｄ／Ａ変換部１５は、伸長圧縮処理部１４より出力される出力デジタル信号であるデジタル映像信号（デジタル音声信号を含む）をアナログ映像信号（アナログ音声信号を含む）にアナログ化の変換をし、外部に設けられたテレビ受像機１９に出力する。
光ピックアップ１６ａは、スピンドルモータ１６ｂによって回転駆動される光ディスク（例えば、ＤＶＤ＋Ｒ等）の読み取りを行い、読み取りによって得られた信号を光ピックアップ処理部１６ｃに出力する。また、光ピックアップ処理部１６ｃより出力される信号を光ディスクに記録する。
【００１５】
光ピックアップ処理部１６ｃは、スピンドルモータ１６ｂや光ピックアップ１６ａとともに、光ディスクドライブ部を形成する。このため、光ピックアップ処理部１６ｃは、データの再生時には、光ピックアップ１６ａより出力される信号からＲＦ信号を生成する。次いで、生成したＲＦ信号からデジタルデータを復調した後、復号化を行って得られた信号を伸長圧縮処理部１４に出力する。また、データの記録時には、伸長圧縮処理部１４より出力されるデジタル信号を符号化した後、符号化した信号を用いて光ピックアップ１６ａを駆動する。すなわち、伸長圧縮処理部１４はデジタルデータの伸長と圧縮を行ない、光ピックアップ処理部１６ｃを介して光ディスクドライブ部に対するデジタルデータの書き込み及び読み出しを行う。
【００１６】
伸長圧縮処理部１４は、エンコード部１４ａを用いることによって、Ａ／Ｄ変換部１３から出力された映像信号をＭＰＥＧ２（音声信号についてはＡＣ３等）に従って圧縮処理する。そして、圧縮処理した映像信号を光ピックアップ処理部１６ｃに出力する。また、デコード部１４ｂを用いることにより、光ピックアップ処理部１６ｃより出力される映像信号を、ＭＰＥＧ２（音声信号についてはＡＣ３等）に従って伸長処理する。そして、伸長処理により得られたデジタル映像信号をＤ／Ａ変換部１５に出力する。
【００１７】
入力回路部１８は、図示されない装置本体の前面パネルに設けられた電源キー等のキースイッチや、リモートコントローラ（以下では、リモコンと称する）１８ａから送信される赤外線信号を受光する受光ユニット等を備えており、ユーザからの指示が入力されると、入力された指示（操作入力）を受け付けて制御部１２に出力する。
制御部１２は、光ディスクドライブ装置としての主要動作を制御する。すなわち、リモコン１８ａ等に入力されたユーザの指示に従い、チューナ部１１部が受信するチャンネルを制御する。また、光ピックアップ処理部１６ｃと伸長圧縮処理部１４とを制御することによって、チューナ部１１部が受信した番組を光ディスクに記録する。また、光ディスクに記録された番組を再生して、テレビ受像機１９に表示する。
【００１８】
なお、伸長圧縮処理部１４と、Ａ／Ｄ変換部１３と、Ｄ／Ａ変換部１５と、制御部１２とが、記録再生制御回路に相当する。
図２は光ピックアップ１６ａの概略構成を斜視図により示しており、図３は、同光ピックアップを平面図により示している。
光ピックアップ１６ａは、コイルとレンズを保持する可動側部材３０と、マグネットを保持する固定側部材４０と、固定側部材４０で可動側部材３０を変位可能となるように弾性支持するワイヤ５０とを備えている。
【００１９】
そして、上記可動側部材３０は、レンズ３１ａ，３１ｂと、略矩形枠状に形成されて上記レンズ３１ａ，３１ｂを支持するレンズホルダ３２と、同レンズホルダ３２における枠内に保持されるコイル３３とを有している。上記レンズホルダ３２は、四辺３２ａ〜３２ｄを有しており、上記固定側部材４０と反対側の一辺３２ａの外方側にて上記レンズ３１ａ，３１ｂを支持している。また、上記コイル３３は、相対向する辺３２ａ，３２ｃにおける枠内周壁面３２ａ１，３２ｃ１にそれぞれ三個（コイル３３ａ〜３３ｃ、コイル３３ｄ〜３３ｆ）ずつ並べて直に配設されている。直にとは、本来のコイル３３自身以外にコイルホルダのような別部材を有しないという意味である。
【００２０】
また、上記固定側部材４０は、上記枠内にて上記コイル３３に対する固定側磁界を供給するマグネット４１と、このマグネット４１を上記コイル３３に対面するように支持するバックヨーク４２ａとなるベース４２と、上記コイル３３に駆動電流を供給する回路基板４３と、同回路基板４３と上記ベース４２を支持するダンパボックス４４とを有している。
【００２１】
図４は、ベースとバックヨークとマグネットとを斜視図により示しており、図５は、ベース単体を斜視図により示している。
図４と図５に示すように、ベース４２はその一部にてバックヨーク４２ａを兼ねており、同バックヨーク４２ａにてマグネット４１を支持している。すなわち、ベース４２を構成する金属製の板材を９０度屈曲せしめることにより、マグネット４１を支持できる横長の板状のバックヨーク４２ａを形成し、その各面に同じマグネット４１ａ〜４１ｃと、マグネット４１ｄ〜４１ｆとを一列に並べて貼付して固定している。
【００２２】
四辺３２ａ〜３２ｄを有する矩形枠状のレンズホルダ３２には、相対向する周壁面にコイル３３ａ〜３３ｃとコイル３３ｄ〜３３ｆが並べて配設され、この枠内にてバックヨーク４２ａを挟んでマグネット４１ａ〜４１ｃとマグネット４１ｄ〜４１ｆとがそれぞれ一列に並べて固定されている。従って、枠内には、コイル３３ａ〜３３ｃの一列と、マグネット４１ａ〜４１ｃの一列と、バックヨーク４２ａと、マグネット４１ｄ〜４１ｆの一列と、コイル３３ｄ〜３３ｆの一列とが、それぞれ対面するように位置している。便宜的にそれぞれの部材を一層と呼ぶとすると、五層になる。また、この中で可動側部材３０が固定側部材４０に対して可動できるための隙間として、コイル３３ａ〜３３ｃとマグネット４１ａ〜４１ｃの間の隙間と、マグネット４１ｄ〜４１ｆとコイル３３ｄ〜３３ｆの間の隙間との、二つの隙間が必要である。
【００２３】
図６は、本出願人による以前の光ピックアップを平面図により示している。理解の便のために相対応する部材には同じ符号を付している。
本発明には存在しない部材としてはコイル３３ａ〜３３ｃとコイル３３ｄ〜３３ｆとを両面に保持しつつ、上記レンズホルダ３２に固定されるコイルホルダ３４が備えられている。
この光ピックアップの場合、レンズホルダ３２の四辺３２ａ〜３２ｄのうち、相対向する二辺３２ａ，３２ｃと平行で、枠内を二分割するようにコイルホルダ３４が固定され、その両面には上記二辺３２ａ，３２ｃの周壁面に対面するようにとコイル３３ａ〜３３ｃとコイル３３ｄ〜３３ｆがそれぞれ並べて配設されている。一方、二分割されたそれぞれの枠状の空間の中では、コイル３３ａ〜３３ｃとコイル３３ｄ〜３３ｆと対面するように、背面側でバックヨーク４２ａに固定されて上記コイル３３ａ〜３３ｃと対面するマグネット４１ａ〜４１ｃと、同じく背面側でバックヨーク４２ａに固定されて上記コイル３３ｄ〜３３ｆと対面するマグネット４１ｄ〜４１ｆとが配置される。
【００２４】
この場合、枠内には、バックヨーク４２ａと、マグネット４１ａ〜４１ｃの一列と、コイル３３ａ〜３３ｃの一列と、コイルホルダ３４と、コイル３３ｄ〜３３ｆの一列と、マグネット４１ｄ〜４１ｆの一列と、バックヨーク４２ａとが、それぞれ対面するように位置している。同様に便宜的にそれぞれの部材を一層と呼ぶとすると、以前の光ピックアップの例では七層になる。また、この中で可動側部材３０が固定側部材４０に対して可動できるための隙間として、一辺３２ａとバックヨーク４２ａとの間の隙間と、マグネット４１ａ〜４１ｃとコイル３３ａ〜３３ｃとの間の隙間と、コイル３３ｄ〜３３ｆとマグネット４１ｄ〜４１ｆとの間の隙間と、バックヨーク４２ａと一辺３２ｃとの間の隙間との、計四つの隙間が必要である。
【００２５】
以上のように比較すると、本発明の光ピックアップ１６ａであれば、部材としてのバックヨーク４２ａの一層分とコイルホルダの一層分との長さが縮小されるとともに、必要な隙間の二カ所分の隙間が縮小されることになる。特に、各コイル３３ａ〜３３ｆとマグネット４１ａ〜４１ｆとが対面する面は、可動側部材３０と固定側部材４０とが対面する対面面と略平行であるから、縮小されるのは可動側部材３０と固定側部材４０とを合わせた長さとなり、ポータブルタイプの光ピックアップで要求されるタンジェンシャル方向のアクチュエータの形状を縮小する目的がかなうことになる。
【００２６】
なお、本発明では一枚のバックヨークの両面にマグネット４１ａ，４１ｄの対と、マグネット４１ｂ，４１ｅの対と、マグネット４１ｃ，４１ｆの対とが直線上に並ぶ。このため、固定側磁界を対となるマグネットで形成するので、効率的に強力な磁界を形成できるという配置にもなっている。
また、上記固定側部材４０では、ダンパボックス４４が回路基板４３とベース４２とを支持しており、このダンパボックス４４と上記レンズホルダ３２とがワイヤ５０を介して連結されている。ワイヤ５０は、それぞれ三本の金属製ワイヤにて形成され、枠状としたレンズホルダの残りの二辺３２ｂ，３２ｄの外側でダンパボックス４４と連結している。金属部材のワイヤ５０であるため、上記可動側部材３０は上記固定側部材４０に対して弾性支持されることになる。また、導電性部材である金属部材なので、上記回路基板４３と上記コイル４１とを電気的に接続する役目も担っている。本実施例の場合は、左右三本のうちのそれぞれの二本ずつで左トラッキング駆動用と右トラッキング駆動用の駆動電流を流し、左右の一本ずつを使って上下方向のフォーカシング駆動用の駆動電流を流している。
【００２７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００２８】
１１…チューナ部、１２…制御部、１３…Ａ／Ｄ変換部、１４…伸長圧縮処理部、１４ａ…エンコード部、１４ｂ…デコード部、１５…Ｄ／Ａ変換部、１６ａ…光ピックアップ、１６ｂ…スピンドルモータ、１６ｃ…光ピックアップ処理部、１８…入力回路部、１８ａ…リモコン、１９…テレビ受像機、３０…可動側部材、３１ａ，３１ｂ…レンズ、３２…レンズホルダ、３２ａ〜３２ｄ…辺、３２ａ１，３２ｃ１…枠内周壁面、３３（３３ａ〜３３ｆ）…コイル、３４…コイルホルダ、４０…固定側部材、４１（４１ａ〜４１ｆ）…マグネット、４２…ベース、４２ａ…バックヨーク、４３…回路基板、４４…ダンパボックス、５０…ワイヤ。
【図１】
2011129236.tif 000003
【図２】
2011129236.tif 000004
【図３】
2011129236.tif 000005
【図４】
2011129236.tif 000006
【図５】
2011129236.tif 000007
【図６】
2011129236.tif 000008